(57)【要約】  【課題】  ミキサへの投入前の予備混合を効果的に行うことによって混練時間を短縮し、製造能力を向上させることができる生コンクリート製造プラントを提供する。  【解決手段】  各種計量槽と下位のミキサ１３との間に、駆動用モータ２３により水平方向に回転自在としたプレミックスシュート１５を配設する。前記駆動用モータ２３は回転数制御器２６によって変速可能とし、砂、砂利の投入初期にはプレミックスシュート１５を高速回転することで遠心力を高めて砂、砂利をプレミックスシュート１５内壁に押し付けて層状にへばりつかせ、砂と砂利が交互に重なった砂・砂利層Ａを形成させ、投入開始から所定時間経過後にプレミックスシュート１５を低速回転に切り替えて遠心力を弱め、層状になった砂、砂利をプレミックスシュート１５内壁に沿って一気に流下させて予備混合しながらミキサ１３に投入する。【選択図】  図５
2010137491.tif 000002
【特許請求の範囲】
【請求項１】
各種コンクリート材料の計量槽と下位のミキサとの間に、上部開口より下部開口に向けて漸次先細りとして略ロート状に形成したプレミックスシュートを駆動用モータにより水平方向に回転自在に配設し、計量した砂、砂利をほぼ同時期に放出してプレミックスシュートの内壁に沿って流下させながら予備混合してミキサ内に投入するように構成した生コンクリート製造プラントにおいて、前記プレミックスシュートを回転させる駆動用モータを変速可能とし、砂、砂利の投入初期にはプレミックスシュートを高速回転することで遠心力を高めて砂、砂利をプレミックスシュート内壁に押し付けて砂、砂利を交互に層状にへばりつかせ、投入開始から所定時間経過後にプレミックスシュートを低速回転に切り替えて遠心力を弱め、層状に形成された砂、砂利をプレミックスシュートの内壁に沿って流下させて予備混合しながらミキサ内に投入するように構成したことを特徴とする生コンクリート製造プラント。
【発明の詳細な説明】
【技術分野】
【０００１】
本発明は、砂利、砂、セメント、水、混和剤の各種コンクリート材料を計量、混練処理して生コンクリートを製造する生コンクリート製造プラントに関する。
【背景技術】
【０００２】
生コンクリート製造プラントは、コンクリート材料である砂利、砂、セメント、水、混和剤をプラント上部に配設した材料貯蔵槽に一時貯蔵し、出荷要請に基づいて、その下位に配設した各計量槽にて各種材料を所定量計量し、計量後、各計量槽下部の放出ゲートを順次開放して各種材料を下位のミキサに投入し、所定時間混練して生コンクリートを製造している。このとき、各種材料のミキサへの投入は、ミキサでの材料の混ざり具合を良くするために、材料を一気に投入するのではなく、先ず砂、セメント及び水を先行投入し、それに砂利を混ぜ込むのが一般的である。
【０００３】
しかしながら、材料を一定の時間間隔で順次投入していくと、材料投入にある程度の時間をとられることとなり、この種プラントは高品質の製品を早く製造することを常に要求されているとのことで、特許文献１（特開２０００−６１９２８号公報）のコンクリート製造プラントでは、計量槽とミキサの間に上部開口より下部開口に向けて漸次先細りとしてロート状に形成したプレミックスシュートを水平方向に回転自在に配設し、砂、砂利をほぼ同時期に放出して回転するプレミックスシュートの内壁に沿って流下させ、予備混合しながらミキサに投入することによって、ミキサでの混練時間を短縮して製造能力を高めるようにしている。
【特許文献１】特開２０００−６１９２８号公報
【発明の開示】
【発明が解決しようとする課題】
【０００４】
上記プラントでは、砂、砂利を回転するプレミックスシュートに放出してプレミックスシュート内壁に沿って流下させながらミキサに投入するので、それなりの予備混合を行うことができて混練時間を短縮可能であるものの、更なる改良によって製造能力を高めることが要望されている。
【０００５】
本発明は上記の点に鑑み、ミキサへの投入前の予備混合をより効果的に行うことによって混練時間を短縮し、製造能力を向上させることができる生コンクリート製造プラントを提供することを課題とする。
【課題を解決するための手段】
【０００６】
上記の課題を解決するために、本発明に係る生コンクリート製造プラントにあっては、各種コンクリート材料の計量槽と下位のミキサとの間に、上部開口より下部開口に向けて漸次先細りとして略ロート状に形成したプレミックスシュートを駆動用モータにより水平方向に回転自在に配設し、計量した砂、砂利をほぼ同時期に放出してプレミックスシュートの内壁に沿って流下させながら予備混合してミキサ内に投入するように構成した生コンクリート製造プラントにおいて、前記プレミックスシュートを回転させる駆動用モータを変速可能とし、砂、砂利の投入初期にはプレミックスシュートを高速回転することで遠心力を高めて砂、砂利をプレミックスシュート内壁に押し付けて砂、砂利を交互に層状にへばりつかせ、投入開始から所定時間経過後にプレミックスシュートを低速回転に切り替えて遠心力を弱め、層状に形成された砂、砂利をプレミックスシュートの内壁に沿って流下させて予備混合しながらミキサ内に投入するように構成したことを特徴としている。
【発明の効果】
【０００７】
本発明に係る生コンクリート製造プラントによれば、プレミックスシュートを回転させる駆動用モータを変速可能とし、砂、砂利の投入初期にはプレミックスシュートを高速回転することで遠心力を高めて砂、砂利をプレミックスシュート内壁に押し付けて砂、砂利を交互に層状にへばりつかせ、投入開始から所定時間経過後にプレミックスシュートを低速回転に切り替えて遠心力を弱め、層状に形成された砂、砂利をプレミックスシュートの内壁に沿って流下させて予備混合しながらミキサ内に投入するように構成したので、砂と砂利の予備混合が一層効果的に行われ、ミキサでの混練時間の短縮が可能であり、製造能力を向上させることができる。
【発明を実施するための最良の形態】
【０００８】
本発明に係る生コンクリート製造プラントにあっては、砂、砂利の計量槽とミキサとの間に、上部開口より下部開口に向けて漸次先細りとして略ロート状に形成したプレミックスシュートを駆動用モータにより水平方向に回転自在に配設する。また、プレミックスシュートを回転させる駆動用モータは、例えばインバータによって変速可能としておき、砂、砂利の投入初期にはプレミックスシュートを高速回転とし、投入開始から所定時間経過すればプレミックスシュートを低速回転に切り替えるように設定しておく。
【０００９】
なお、前記プレミックスシュートの高速回転時には、投入した砂、砂利を遠心力によってプレミックスシュート内壁に押し付けてへばりつかせるようにする一方、低速回転時には遠心力を弱めてプレミックスシュート内壁にへばりつく砂、砂利を落下させるように、プレミックスシュートの回転数を適宜設定する。前記回転数はプレミックスシュートの径等にもよるが、例えば、高速回転時には３６回転／分程度、低速回転時には１８回転／分程度に設定すると良い。また、プレミックスシュートの高速回転から低速回転の切り替えタイミングは、砂、砂利の投入開始時には高速回転とし、砂、砂利の投入時間が例えば１２〜１５秒程度とすれば、その１／３〜１／２程度の時間経過後に高速回転から低速回転に切り替えるようにすると良い。
【００１０】
前記プレミックスシュートによって予備混合するには、プレミックスシュートを高速回転しながら、砂計量槽及び砂利計量槽から砂と砂利をプレミックスシュート内壁に向けてほぼ同時に放出する。高速回転するプレミックスシュート内壁に向けて砂が放出されると、砂はプレミックスシュートの内壁に沿って流下し、その所定量が遠心力によってプレミックスシュート内壁に押し付けられてへばりつき、プレミックスシュート内壁にへばりついた砂層を形成していく。プレミックスシュートは回転しているので、前記形成された砂層が砂利放出箇所に達すると砂層に向けて砂利が落下してくることで、砂利の所定量が遠心力によって砂層の上に押し付けられてへばりつき、砂層の上に砂利層が形成されることとなる。したがって、プレミックスシュートが数回回転すれば砂、砂利が交互に重なった層が数層形成されることとなる。
【００１１】
そして、砂、砂利投入から所定時間経過後に、プレミックスシュートが低速回転に切り替えられると、砂、砂利に作用する遠心力が弱められて層状にへばりついた砂、砂利が回転するプレミックスシュートの内壁に沿って流下することとなり、砂と砂利が更に混ざり合いながら下位のミキサに投入される。
【００１２】
このように、回転するプレミックスシュートの遠心力を利用して砂と砂利をプレミックスシュート内壁にへばりつかせて交互に層状に重ねるようにしてから一気にミキサへ投入するので、ミキサへの投入前の予備混合が効果的に行われ、ミキサでの混練時間の短縮が可能となり、製造能力を向上させることができる。
【実施例】
【００１３】
以下、本発明の実施例を図面に基づいて説明する。
【００１４】
図中の１は、各種コンクリート材料を貯蔵、計量、混練して生コンクリートを製造する生コンクリート製造プラントであって、基礎となる架台２上にミキサブロック３、計量槽ブロック４、貯蔵槽ブロック５、及び受材室ブロック６を階層状に積み上げて成る。
【００１５】
最上階の受材室ブロック６には、地上の骨材ヤードから傾斜コンベヤ７にて供給される砂利、砂を分配シュート８によって分配し、下位の貯蔵槽ブロック５の貯蔵槽９に種類毎に投入している。貯蔵槽ブロック５には、砂利、砂の貯蔵槽９の他、セメント、水、混和剤用の各貯蔵槽を備えている。
【００１６】
計量槽ブロック４には、砂利計量槽１０、砂計量槽１１、セメント計量槽１２を備えていると共に、水、混和剤用の計量槽（図示せず）も備えている。また、ミキサブロック３には、前記各計量槽より放出されるコンクリート材料を混練して生コンクリートを製造するミキサ１３を備えており、その下位には排出される生コンクリートを一時貯留するコンクリートホッパ１４を備えている。
【００１７】
前記各計量槽とミキサ１３との間には、計量槽より放出される砂利、砂、セメントを予備混合するプレミックスシュート１５を備えており、該プレミックスシュート１５は、図２に示すように、上部開口１６と下部開口１７を有し、上部開口１６から下部開口１７に向けて先細りとした略ロート状とし、その下端部には下部開口１７を開口させた筒状体１８を備えている。また、プレミックスシュート１５の中央部にはセメント計量槽１２から放出するセメントを案内するセメント放出管１９を配置し、プレミックスシュート１５内を落下する砂利、砂の中央部にセメントを放出して予備混合するようにしている。
【００１８】
前記プレミックスシュート１５を回転させるために、プレミックスシュート１５の上部付近を取り囲むように円形のレール２０を配設する一方、プレミックスシュート１５の上部外周にはフランジ２１を固着し、該フランジ２１の四方向に車輪２２を配設し、該車輪２２を前記円形レール２０上に載置してプレミックスシュート１５を円形レール２０に沿って回転自在としている。
【００１９】
プレミックスシュート１５の回転は、駆動用モータ２３に取り付けた駆動ローラ２４を前記フランジ２１の周囲に沿って配設したゴムタイヤ２５に当接させ、駆動用モータ２３の駆動によりプレミックスシュート１５を水平方向に回転させるようにしている。
【００２０】
前記プレミックスシュート１５を回転させる駆動用モータ２３は、インバータのような回転数制御器２６によって変速可能としておく。駆動用モータ２３によるプレミックスシュート１５の回転数は、高速回転時には投入した砂、砂利を遠心力によってプレミックスシュート１５内壁に押し付けてへばりつかせる回転数とし、また低速回転時には遠心力を弱めてプレミックスシュート１５内壁にへばりついた砂、砂利を落下させる回転数とする。
【００２１】
なお、前記回転数はプレミックスシュート１５の径にもよるが、例えば、高速回転は３６回転／分程度、低速回転は１８回転／分程度に設定すると良い。そして、プレミックスシュート１５は、図４に示すように、砂、砂利のほぼ同時の投入開始時には高速回転とし、所定時間経過後に低速回転に切り替わるようにしておく。例えば、砂、砂利の投入時間が１２秒程度とすれば、その１／３〜１／２程度の時間経過後に高速回転から低速回転に切り替えるように設定すると良い。
【００２２】
そして、上記構成の生コンクリート製造プラント１のミキサ１３にて生コンクリートを混練製造するときには、先ず、砂利計量槽１０、砂計量槽１１、セメント計量槽１２にて所定量計量し、また水及び混和剤も所定量計量する。続いて、図４の材料投入タイムチャートに示すように、各材料を投入していく。このとき、砂、砂利について注目すると、砂、砂利はほぼ同時期にプレミックスシュート１５へと投入されることとなり、このときプレミックスシュート１５を高速回転としておく。
【００２３】
高速回転するプレミックスシュート１５内壁に向けて砂が放出されると、砂はプレミックスシュート１５の内壁に沿って流下し、その所定量が遠心力によってプレミックスシュート１５内壁に押し付けられてへばりつき、プレミックスシュート１５内壁にへばりついた砂層を形成していく。プレミックスシュート１５は回転しているので、前記形成された砂層が砂利投入箇所に達すると砂層に向けて砂利が落下してくることで、砂利の所定量が遠心力によって砂層の上に押し付けられてへばりつき、砂層の上に砂利層が形成されることとなる。したがって、プレミックスシュート１５内壁には、その回転に伴って図５に示すように、砂と砂利が交互に重なった砂・砂利層Ａが形成される。
【００２４】
そして、砂、砂利の投入開始から所定時間経過すると、プレミックスシュート１５を低速回転に切り替える。低速回転となると遠心力が弱められ、プレミックスシュート１５内壁に何層にもなってへばりつく砂、砂利が落下し始め、砂と砂利が更に混ざり合いながらミキサ１３に投入されることとなる。また、このとき、セメントが投入されていれば砂、砂利にてセメントを包み込むようにして混じり合い、ミキサ１３への投入前の予備混合が十分行われることとなる。
【００２５】
このように、プレミックスシュート１５の回転を変速可能とし、砂、砂利の投入初期には高速回転とし、所定時間経過すれば低速回転に切り替えるように設定しておくことで、砂、砂利を投入すると、高速回転にて遠心力を高めた砂、砂利をプレミックスシュート１５内壁に押し付けて何層にもへばりつかせ、その後の低速回転への切り替えによって層状に形成された砂、砂利を一気にミキサ１３へと払い出すので、ミキサ１３への投入前に砂と砂利の予備混合がより促進され、ミキサ１３での混練時間を短縮できて製造能力を向上させることができる。
【図面の簡単な説明】
【００２６】
【図１】本発明に係る生コンクリート製造プラントの概略説明図である。
【図２】図１の要部拡大図である。
【図３】図２の一部を省略した平面図である。
【図４】本発明に係る生コンクリート製造プラントの材料投入に関するタイムチャートである。
【図５】プレミックスシュートへの砂、砂利のへばりつき状況を説明する図である。
【符号の説明】
【００２７】
１…生コンクリート製造プラント    ２…架台
３…ミキサブロック                ４…計量槽ブロック
５…貯蔵槽ブロック                ６…受材室ブロック
１０…砂利計量槽                    １１…砂計量槽
１２…セメント計量槽                １５…プレミックスシュート
１９…セメント放出管                ２０…レール
２１…フランジ                      ２２…車輪
２３…駆動用モータ                  ２４…駆動ローラ
２５…ゴムタイヤ
【図１】
2010137491.tif 000003
【図２】
2010137491.tif 000004
【図３】
2010137491.tif 000005
【図４】
2010137491.tif 000006
【図５】
2010137491.tif 000007